【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
複数の画像から構成される表示画像データを生成する生成手段と、
前記表示画像データを構成する前記複数の画像のレイアウトに基づいて、前記表示画像データの階調値と表示輝度との対応関係を決定する決定手段と、
前記表示画像データと前記対応関係を示す情報とを表示手段に出力する出力手段と、
を備え、
前記決定手段は、前記表示画像データにおいてハイダイナミックレンジに対応する画像が最前面に配置されている場合に、前記対応関係として、第１対応関係を決定し、そうでない場合に、前記第１対応関係と前記表示輝度の範囲が異なる第２対応関係を前記対応関係として決定する
ことを特徴とする画像処理装置。
【請求項２】
前記決定手段は、前記表示画像データにおいて前記ハイダイナミックレンジに対応する画像が最前面に配置され、かつ、所定のサイズよりも大きい場合に、前記第１対応関係を前記対応関係として決定し、そうでない場合に、前記第２対応関係を前記対応関係として決定する
ことを特徴とする請求項１に記載の画像処理装置。
【請求項３】
前記ハイダイナミックレンジに対応する画像は、ＳＭＰＴＥ  ＳＴ２０８４規格で規定されたデータ形式の画像およびＨｙｂｒｉｄ  Ｌｏｇ  Ｇａｍｍａ方式で規定されたデータ形式の画像である
ことを特徴とする請求項１または２に記載の画像処理装置。
【請求項４】
前記第２対応関係に対応する表示輝度の上限は、前記第１対応関係に対応する表示輝度の上限よりも低い
ことを特徴とする請求項１乃至３のいずれか１項に記載の画像処理装置。
【請求項５】
前記表示画像データが含む画像の数が所定の数よりも多い場合に、前記決定手段は、前記レイアウトによらず、前記第２対応関係を前記対応関係として決定する
ことを特徴とする請求項１乃至４のいずれか１項に記載の画像処理装置。
【請求項６】
前記表示画像データの平均輝度が第１閾値よりも高い場合に、前記決定手段は、前記レイアウトによらず、前記第２対応関係を前記対応関係として決定する
ことを特徴とする請求項１乃至５のいずれか１項に記載の画像処理装置。
【請求項７】
前記表示画像データの最大輝度が第２閾値よりも高い場合に、前記決定手段は、前記レイアウトによらず、前記第２対応関係を前記対応関係として決定する
ことを特徴とする請求項１乃至６のいずれか１項に記載の画像処理装置。
【請求項８】
前記画像処理装置の起動時に、前記決定手段は、前記レイアウトによらず、前記第２対応関係を前記対応関係として決定する
ことを特徴とする請求項１乃至７のいずれか１項に記載の画像処理装置。
【請求項９】
前記決定手段は、前記対応関係を他の対応関係に更新する場合に、前記表示手段に表示される輝度が徐々に変化するように前記対応関係を決定する
ことを特徴とする請求項１乃至８のいずれか１項に記載の画像処理装置。
【請求項１０】
前記決定手段は、前記対応関係を他の対応関係に更新する場合に、更新前の対応関係から、前記更新前の対応関係に対応する表示画像データの最大輝度または平均輝度に基づく第３対応関係を経て、更新後の対応関係へ前記対応関係が変化するように、前記対応関係を決定する
ことを特徴とする請求項１乃至９のいずれか１項に記載の画像処理装置。
【請求項１１】
前記決定手段は、前記表示手段の種類、前記表示手段のバッテリーの残容量、及び、前記表示手段に対する外光の少なくともいずれかにさらに基づいて、前記対応関係を決定する
ことを特徴とする請求項１乃至１０のいずれか１項に記載の画像処理装置。
【請求項１２】
前記対応関係で前記表示画像データに基づく画像を表示する前記表示手段を備えることを特徴とする請求項１乃至１１のいずれか１項に記載の画像処理装置。
【請求項１３】
複数の画像から構成される表示画像データを生成する生成手段と、
前記表示画像データを構成する前記複数の画像のレイアウトに基づいて、前記表示画像データの階調値と表示輝度との対応関係を決定するステップと、
前記表示画像データと前記対応関係を示す情報とを表示手段に出力するステップと、
を有し、
前記対応関係を決定するステップでは、前記表示画像データにおいてハイダイナミックレンジに対応する画像が最前面に配置されている場合に、前記対応関係として、第１対応関係を決定し、そうでない場合に、前記第１対応関係と前記表示輝度の範囲が異なる第２対応関係を前記対応関係として決定する
ことを特徴とする画像処理方法。
【請求項１４】
請求項１３に記載の画像処理方法の各ステップをコンピュータに実行させるためのプログラム。
【請求項１５】
表示画像データに基づく画像を表示する表示手段に前記表示画像データを出力する画像処理装置であって、
１以上の画像を表示するアプリケーションに対応する１以上のウィンドウを配置して前記表示画像データを生成する生成手段と、
前記表示画像データにおける前記１以上のウィンドウの配置に応じて、前記表示手段の
表示輝度の上限値を制御する制御手段と、
を備え、
前記制御手段は、ＨＤＲ画像を表示するためのアプリケーションに対応する所定のウィンドウが前記表示画像データにおいて所定の条件を満たす場合に、そうでない場合よりも前記表示輝度の上限値が高くなるように制御する
ことを特徴とする画像処理装置。
【請求項１６】
前記制御手段は、（１）前記表示画像データにおいて前記所定のウィンドウが所定のサイズ以上で配置される、および、（２）前記表示画像データにおいて前記所定のウィンドウが最前面に配置される、のうち少なくともいずれかを満たす場合に、そうでない場合よりも前記表示輝度の上限値が高くなるように制御する
ことを特徴とする請求項１５に記載の画像処理装置。
【請求項１７】
前記制御手段は、前記表示画像データにおいて、前記所定のウィンドウのみが配置される場合に、そうでない場合よりも前記表示輝度の上限値が高くなるように制御する
ことを特徴とする請求項１５または請求項１６に記載の画像処理装置。
【請求項１８】
前記表示画像データに基づく画像を表示する前記表示手段を備える
ことを特徴とする請求項１５乃至１７のいずれか１項に記載の画像処理装置。
【手続補正２】
【補正対象書類名】明細書
【補正対象項目名】００１３
【補正方法】変更
【補正の内容】
【００１３】
本発明の第１の態様は、
複数の画像から構成される表示画像データを生成する生成手段と、
前記表示画像データを構成する前記複数の画像のレイアウトに基づいて、前記表示画像データの階調値と表示輝度との対応関係を決定する決定手段と、
前記表示画像データと前記対応関係を示す情報とを表示手段に出力する出力手段と、
を備え、
前記決定手段は、前記表示画像データにおいてハイダイナミックレンジに対応する画像が最前面に配置されている場合に、前記対応関係として、第１対応関係を決定し、そうでない場合に、前記第１対応関係と前記表示輝度の範囲が異なる第２対応関係を前記対応関係として決定する
ことを特徴とする画像処理装置である。
【手続補正３】
【補正対象書類名】明細書
【補正対象項目名】００１４
【補正方法】変更
【補正の内容】
【００１４】
本発明の第２の態様は、
複数の画像から構成される表示画像データを生成する生成手段と、
前記表示画像データを構成する前記複数の画像のレイアウトに基づいて、前記表示画像データの階調値と表示輝度との対応関係を決定するステップと、
前記表示画像データと前記対応関係を示す情報とを表示手段に出力するステップと、
を有し、
前記対応関係を決定するステップでは、前記表示画像データにおいてハイダイナミックレンジに対応する画像が最前面に配置されている場合に、前記対応関係として、第１対応関係を決定し、そうでない場合に、前記第１対応関係と前記表示輝度の範囲が異なる第２対応関係を前記対応関係として決定する
ことを特徴とする画像処理方法である。